(57)【特許請求の範囲】
【請求項１】
測定光を被検査対象物に対して照射する発光素子と、
前記発光素子からの前記測定光を検知する受光素子と、
前記被検査対象物が存在しない状態において前記受光素子が前記測定光を検知したときの前記発光素子への供給電流値と、前記被検査対象物が存在する状態において前記受光素子が前記測定光を検知したときの前記発光素子への供給電流値との比を予め記憶した記憶手段と、
前記被検査対象物が存在しない所定のタイミングにて前記発光素子から前記測定光を出力し、前記受光素子が前記測定光を検知したときの前記発光素子への供給電流値を検知する供給電流値検知手段と、
前記供給電流値検知手段にて検知した前記供給電流値と前記記憶手段に予め記憶した前記比とに基づいて前記発光素子への供給電流値を決定する供給電流値決定手段と、
前記発光素子への供給電流値が前記供給電流値決定手段にて決定した前記供給電流値となるように制御する供給電流値制御手段と、を備えていることを特徴とする光検出装置。
【請求項２】
発光素子の周囲温度を検知する温度センサと、
前記温度センサにて検知した前記周囲温度に基づいて前記記憶手段に予め記憶した前記比を補正する補正手段と、を更に備えており、
前記供給電流値決定手段は、前記供給電流値検知手段にて検知した前記供給電流値と前記補正手段にて補正した比とに基づいて前記発光素子への供給電流値を決定することを特徴とする請求項１に記載の光検出装置。
【請求項３】
前記被検査対象物が存在しない状態において前記受光素子が前記測定光を検知したときの前記発光素子への供給電流値は、前記被検査対象物が存在しない状態において前記受光素子が前記測定光を検知したときの前記発光素子への供給電流値を複数回測定して、統計的手法に基づいて求められ、
前記被検査対象物が存在する状態において前記受光素子が前記測定光を検知したときの前記発光素子への前記供給電流値は、複数の前記被検査対象物毎に当該被検査対象物が存在する状態において前記受光素子が前記測定光を検知したときの前記発光素子への前記供給電流値を測定して、統計的手法に基づいて求められることを特徴とする請求項１又は請求項２に記載の光検出装置。
【発明の詳細な説明】
【０００１】
【発明の属する技術分野】
本発明は、紙葉類検出装置、紙葉類鑑別装置等に用いられる光検出装置に関する。
【０００２】
【従来の技術】
この種の光検出装置として、測定光を被検査対象物に対して照射する発光素子と、発光素子からの測定光を検知する受光素子と、を備え、受光素子の出力信号に基づいて、発光素子と受光素子との間に存在する被検査対象物が測定光を透過する物体であるか否かを検出するように構成したものが知られている。たとえば、上述した光検出装置を紙葉類検出装置に適用して、紙幣、有価証券等の紙葉類を検出する場合、受光素子として紙葉類を透過する波長帯域（たとえば、９４０ｎｍ程度）の光を出力するＬＥＤを用い、このＬＥＤから被検査対象物に照射された測定光が被検査対象物を透過して受光素子にて受光、検出された場合には、被検査対象物が紙葉類であると判断し、このＬＥＤから被検査対象物に照射された測定光が被検査対象物を十分に透過せず受光素子にて受光、検出されない場合には、被検査対象物が紙葉類ではないと判断している。
【０００３】
ところで、上述したような光検出装置においては、発光素子の発光出力や受光素子の検出感度に、素子毎のバラツキが存在する。このため、製品出荷時等に、光検出装置個々に対して、発光素子の発光出力や受光素子の検出感度のバラツキ調整を行っている。
【０００４】
【発明が解決しようとする課題】
しかしながら、従来の技術においては、作業者が手動によりバラツキ調整を行う作業が伴うため、光検出装置の調整工程に時間がかかってしまうという問題点を有している。
【０００５】
また、発光素子の発光出力や受光素子の検出感度は、素子そのもの経時変化や、ゴミや埃等の付着等によっても、その特性が変化することから、光検出装置にて測定光を適切に検出することが困難となってしまう。このため、光検出装置の使用時においても、発光素子の発光出力や受光素子の検出感度等の特性変化を調整する必要がある。また、発光素子の発光出力は、温度によってもその特性が変化することがあり、同様に光検出装置にて測定光を適切に検出することが困難となる。
【０００６】
本発明は上述の点に鑑みてなされたもので、光検出装置の使用時においても、製品毎における発光素子の発光出力や受光素子の検出感度のバラツキ調整、特性変化の補正等を確実且つ適切に行うことが可能な光検出装置を提供することを目的とする。
【０００７】
【課題を解決するための手段】
本発明に係る光検出装置は、測定光を被検査対象物に対して照射する発光素子と、発光素子からの測定光を検知する受光素子と、被検査対象物が存在しない状態において受光素子が測定光を検知したときの発光素子への供給電流値と、被検査対象物が存在する状態において受光素子が測定光を検知したときの発光素子への供給電流値との比を予め記憶した記憶手段と、被検査対象物が存在しない所定のタイミングにて発光素子から測定光を出力し、受光素子が測定光を検知したときの発光素子への供給電流値を検知する供給電流値検知手段と、供給電流値検知手段にて検知した供給電流値と記憶手段に予め記憶した比とに基づいて発光素子への供給電流値を決定する供給電流値決定手段と、発光素子への供給電流値が供給電流値決定手段にて決定した供給電流値となるように制御する供給電流値制御手段と、を備えていることを特徴としている。
【０００８】
本発明に係る光検出装置では、記憶手段により、被検査対象物が存在しない状態において受光素子が測定光を検知したときの発光素子への供給電流値と、被検査対象物が存在する状態において受光素子が測定光を検知したときの発光素子への供給電流値との比が予め記憶されている。供給電流値検知手段により、被検査対象物が存在しない所定のタイミングにおいて発光素子から測定光を出力し、受光素子が測定光を検知したときの発光素子への供給電流値が検知され、供給電流値決定手段により、供給電流値検知手段にて検知された供給電流値と記憶手段に予め記憶された比とに基づいて発光素子への供給電流値が決定される。そして、供給電流値制御手段により、発光素子への供給電流値が供給電流値決定手段にて決定した供給電流値となるように制御されることになる。これにより、発光素子への供給電流値が記憶手段に予め記憶されている比に基づいて調整されることになり、発光素子の発光出力や受光素子の検出感度に製品毎でバラツキが生じるのを抑制することができる。また、バラツキ調整のための人為的な作業行程を無くすことができ、光検出装置の調整にかかる時間を短縮させることができるのでコストダウンする上で著しい効果を奏する。
【０００９】
また、本発明に係る光検出装置にあっては、経時変化や、ゴミや埃等の付着等による発光素子の発光出力や受光素子の検出感度の特性変化を、被検査対象物が存在しない所定のタイミング毎において、適切且つ確実に補正することができる。
【００１０】
また、発光素子の周囲温度を検知する温度センサと、温度センサにて検知した周囲温度に基づいて記憶手段に予め記憶した比を補正する補正手段と、を更に備えており、供給電流値決定手段は、供給電流値検知手段にて検知した供給電流値と補正手段にて補正した比とに基づいて発光素子への供給電流値を決定することが好ましい。このように構成した場合、補正手段により、温度センサにて検知した周囲温度に基づいて記憶手段に予め記憶した比が補正され、供給電流値決定手段において、供給電流値検知手段にて検知された供給電流値と補正手段にて補正された比とに基づいて発光素子への供給電流値が決定されることになる。これにより、温度変化による発光素子の発光出力の特性変化を補正することができ、発光素子の温度変化に依存しない被検査対象物の検出が可能となる。
【００１１】
また、被検査対象物が存在しない状態において受光素子が測定光を検知したときの発光素子への供給電流値は、被検査対象物が存在しない状態において受光素子が測定光を検知したときの発光素子への供給電流値を複数回測定して、統計的手法に基づいて求められ、被検査対象物が存在する状態において受光素子が測定光を検知したときの発光素子への供給電流値は、複数の被検査対象物毎に当該被検査対象物が存在する状態において受光素子が測定光を検知したときの発光素子への供給電流値を測定して、統計的手法に基づいて求められることが好ましい。このように構成した場合、被検査対象物が存在しない状態において受光素子が測定光を検知したときの発光素子への供給電流値、及び、被検査対象物が存在する状態において受光素子が測定光を検知したときの発光素子への供給電流値が統計的手法により求められるので、記憶手段に予め記憶しておく比を適切に得ることができる。
【００１２】
【発明の実施の形態】
以下、図面を参照しながら本発明による光検出装置の好適な実施形態について詳細に説明する。本実施形態においては、本発明を紙葉類検出装置に適用した例を示す。
【００１３】
まず、図１に基づいて、本発明の実施形態に係る紙葉類検出装置の構成について説明する。図１は、本実施形態に係る紙葉類検出装置の構成を示すブロック図である。
【００１４】
紙葉類検出装置１は、発光素子としての発光ダイオード（ＬＥＤ）１１と、受光素子としてのフォトトランジスタ（ＰＴｒ）１３と、温度センサ１５とを備えている。ＬＥＤ１１とＰＴｒ１３とは、その間を被検査対象物Ｔが通過し得るように、所定の間隔を有して配設されている。ＬＥＤ１１は、所定の波長帯域を有する測定光を被検査対象物Ｔに照射するものである。本実施形態においては、測定光の波長帯域を紙幣、紙券（回数券、整理券）等の紙葉類を透過可能な波長帯域、たとえば９４０ｎｍ程度に設定されている。ＰＴｒ１３は、ＬＥＤ１１からの測定光（被検査対象物Ｔを透過した測定光を含む）を検知するものである。温度センサ１５は、ＬＥＤ１１及びＰＴｒ１３の周囲温度を検知するものであり、ＬＥＤ１１及びＰＴｒ１３の近傍に配設されている。
【００１５】
紙葉類検出装置１は、更に、制御ユニット部２０を備えている。この制御ユニット部２０は、紙葉類検出装置１全体の信号処理等をつかさどる処理部であり、図示しない、中央演算ユニット（ＣＰＵ）、ＲＯＭ、ＲＡＭ等を有している。制御ユニット部２０は、予め記憶されている制御プログラムに従って演算を行うことにより、ＬＥＤ１１の発光出力（輝度）を制御するための制御信号をＤ／Ａ変換回路３１に出力すると共に、２値化回路３５からの出力信号に基づいて、被検査対象物Ｔが紙葉類であるか否かを判断する。
【００１６】
Ｄ／Ａ変換回路３１は、制御ユニット部２０から出力された制御信号をＤＣ電圧信号に変換するためのものである。Ｄ／Ａ変換回路３１の出力は電圧／電流変換回路３３に接続されており、この電圧／電流変換回路３３の出力はＬＥＤ１１に接続されている。電圧／電流変換回路３３は、Ｄ／Ａ変換回路３１から出力されるＤＣ電圧信号に比例した電流を発生させて、ＬＥＤ１１に供給するためのものである。制御ユニット部２０から出力された制御信号により、ＬＥＤ１１への供給電流値が変化することになり、ＬＥＤ１１の発光出力が変化することになる。
【００１７】
ＰＴｒ１３からの出力は、上述した２値化回路３５に接続されている。この２値化回路３５は、ＰＴｒ１３が光を受光した際に流れる電流の値を電圧信号（ディジタル信号）に変換するためのものである。２値化回路３５の出力は、制御ユニット部２０に接続されている。
【００１８】
温度センサ１５からの出力は、図示しない電流電圧変換回路等を介して制御ユニット部２０に接続されている。
【００１９】
次に、図２に基づいて、制御ユニット部２０の構成について詳細に説明する。図２は、制御ユニット部２０の機能を説明するためのブロック図である。制御ユニット部２０は、ＲＯＭ等に記憶されている制御プログラムに従った処理を行うことにより、機能的な構成要素として、図２に示すように、記憶部２１（記憶手段）と、補正部２３（補正手段）と、供給電流値検知部２５（供給電流値検知手段）と、供給電流値決定部２７（供給電流値決定手段）と、供給電流値制御部２９（供給電流値制御手段）と、を備えて構成される。
【００２０】
記憶部２１は、ＲＯＭ等で構成され、被検査対象物Ｔとしての紙葉類が存在しない状態においてＰＴｒ１３が測定光を検知したときのＬＥＤ１１への供給電流値と、被検査対象物Ｔとしての紙葉類が存在する状態においてＰＴｒ１３が測定光を検知したときのＬＥＤ１１への供給電流値との比を予め記憶している。
【００２１】
ここで、被検査対象物Ｔとしての紙葉類が存在しない状態においてＰＴｒ１３が測定光を検知したときのＬＥＤ１１への供給電流値、及び、被検査対象物Ｔとしての紙葉類が存在する状態においてＰＴｒ１３が測定光を検知したときのＬＥＤ１１への供給電流値を求める手法について説明する。
【００２２】
まず、紙葉類が存在しない状態においてＰＴｒ１３が測定光を検知したときのＬＥＤ１１への供給電流値を求める手法について説明する。被検査対象物Ｔが存在しない状態において、ＬＥＤ１１への供給電流値を増減変化させることによりＬＥＤ１１の発光出力を増減変化させながら測定光を出力し、ＰＴｒ１３が測定光を検知したときのＬＥＤ１１への供給電流値を測定する。この測定を複数回繰り返す。これらの測定は、基準温度（たとえば、２５℃）にて行われる。複数回測定したＬＥＤ１１への供給電流値は、たとえば、図４に示されるように、サンプル度数分布ＦＤ１を示すようになる。そして、このサンプル度数分布ＦＤ１を考慮することにより、紙葉類が存在しない状態においてＬＥＤ１１が測定光を検知したときのＬＥＤ１１への供給電流値「Ｃ」を統計的手法に基づいて求める。
【００２３】
次に、紙葉類が存在する状態においてＰＴｒ１３が測定光を検知したときのＬＥＤ１１への供給電流値を求める手法について説明する。サンプルとして紙葉類を複数用意する。そして、このサンプルをＬＥＤ１１とＰＴｒ１３との間に挿入した状態において、ＬＥＤ１１への供給電流値を増減変化させることによりＬＥＤ１１の発光出力を増減変化させながら測定光を出力し、ＰＴｒ１３がサンプルを透過した測定光を検知したときのＬＥＤ１１への供給電流値を測定する。この測定は、サンプル毎に複数回行われる。これらの測定は、基準温度（たとえば、２５℃）にて行われる。複数回測定したＬＥＤ１１への供給電流値は、たとえば、図４に示されるように、サンプル度数分布ＦＤ２を示すようになる。サンプル度数分布ＦＤ２は、ＬＥＤ１１への供給電流値「Ａ」〜「Ｂ」の間でバラツキを有している。そして、このサンプル度数分布ＦＤ２のバラツキを考慮することにより、紙葉類が存在する状態においてＬＥＤ１１が測定光を検知したときのＬＥＤ１１への供給電流値「Ａ」を統計的手法に基づいて求める。
【００２４】
再び、図２を参照する。補正部２３は、温度センサ１５にて検知した周囲温度に基づいて、記憶部２１に予め記憶されている比を読み出して、補正するものである。補正部２３は、図３に示される周囲温度と温度補正係数との関係に基づいて、温度センサ１５にて検知した周囲温度に対応する温度補正係数を求める。そして、補正部２３は、求めた温度補正係数を記憶部２１に予め記憶されている比に乗算することにより、記憶部２１に予め記憶されている比を補正する。補正部２３は、補正した比を供給電流値決定部２７に送出する。
【００２５】
周囲温度と温度補正係数との関係は、以下のようにして設定する。まず、紙葉類検出装置１の使用温度範囲（たとえば、−２０℃〜８０℃の範囲）において、温度を変化させながら、被検査対象物Ｔとしての紙葉類が存在しない状態においてＰＴｒ１３が測定光を検知したときのＬＥＤ１１への供給電流値（順電流値）とＰＴｒ１３の検出電流値（光電流値）を測定する。次に、各測定温度におけるＬＥＤ１１への供給電流値を、基準温度（たとえば、２５℃）におけるＬＥＤ１１への供給電流値を「１」とした場合の相対値で表す。同様に、各測定温度におけるＰＴｒ１３の検出電流値を、基準温度（たとえば、２５℃）におけるＰＴｒ１３の検出電流値を「１」とした場合の相対値で表す。そして、各測定温度毎に、ＬＥＤ１１への供給電流値の相対値とＰＴｒ１３の検出電流値の相対値との比（ＬＥＤ１１への供給電流値の相対値／ＰＴｒ１３の検出電流値の相対値）を算出する。算出した比は、各測定温度における温度補正係数となる。本実施形態においては、基準温度を２５℃に設定しているので、温度補正係数は、図３に示されるように、２５℃を「１」として、２５℃より高温領域では「１」より大きくなり、２５℃より低温領域では「１」より小さくなる特性を示す。
【００２６】
供給電流値検知部２５は、被検査対象物Ｔが存在しない所定のタイミングにてＬＥＤ１１から測定光を出力し、ＰＴｒ１３が測定光を検知したときのＬＥＤ１１への供給電流値を検知するものである。供給電流値検知部２５は、被検査対象物Ｔが存在しない所定のタイミング、たとえば、紙葉類検出装置１の起動時、アイドリング時等に、Ｄ／Ａ変換回路３１に制御信号を出力し、ＬＥＤ１１から測定光を出力させ、更に、ＬＥＤ１１への供給電流値を増減変化させることにより、ＬＥＤ１１の発光出力を増減変化させる。供給電流値検知部２５は、２値化回路３５からの出力信号に基づいてＰＴｒ１３が測定光を検知したか否かを判断し、ＰＴｒ１３が測定光を検知したときのＬＥＤ１１への供給電流値（ＰＴｒ１３が測定光を検知するＬＥＤ１１への最小供給電流値）を検知する。供給電流値検知部２５は、検知したＬＥＤ１１への供給電流値を供給電流値決定部２７に送出する。
【００２７】
なお、供給電流値検知部２５は、上述した所定のタイミングとして所定の期間が経過する毎に、ＬＥＤ１１から測定光を出力させ、ＰＴｒ１３が測定光を検知したときのＬＥＤ１１への供給電流値を検知するようにしてもよい。この場合には、紙葉類検出装置１が、ＬＥＤ１１とＰＴｒ１３との間に被検査対象物Ｔが挿入されていない状態であることを別途検知しておく必要がある。
【００２８】
供給電流値決定部２７は、補正部２３から送出された比と供給電流値検知部２５から送出されたＬＥＤ１１への供給電流値とを受領し、供給電流値検知部２５にて検知したＬＥＤ１１への供給電流値と補正部２３にて補正された比とに基づいてＬＥＤ１１への供給電流値を決定するものである。具体的には、供給電流値検知部２５にて検知したＬＥＤ１１への供給電流値に、温度補正係数が乗算された比を乗算することにより、ＬＥＤ１１への供給電流値が決定される。供給電流値決定部２７は、決定したＬＥＤ１１への供給電流値を供給電流値制御部２９に送出する。
【００２９】
供給電流値制御部２９は、供給電流値決定部２７から送出されたＬＥＤ１１への供給電流値を受領し、ＬＥＤ１１への供給電流値が供給電流値決定部２７にて決定した供給電流値となるように制御するものであり、ＬＥＤ１１への供給電流値が供給電流値決定部２７にて決定した供給電流値となるように制御信号を生成して、Ｄ／Ａ変換回路３１に出力する。これにより、ＬＥＤ１１への供給電流値は、供給電流値決定部２７にて決定された供給電流値となり、ＬＥＤ１１は、供給電流値決定部２７にて決定された供給電流値に対応する発光出力にて測定光を出力することになる。
【００３０】
また、制御ユニット部２０は、供給電流値検知部２５にて検知されたＬＥＤ１１への供給電流値（ＰＴｒ１３が測定光を検知するＬＥＤ１１への最小供給電流値）に基づいて、このＬＥＤ１１への供給電流値が所定値よりも大きくなった場合に、汚れ、寿命等によりＬＥＤ１１あるいはＰＴｒ１３の性能が低下したと判断し、メンテナンス要求信号を出力する。これにより、紙葉類検出装置１において誤作動が発生する前に、ＬＥＤ１１あるいはＰＴｒ１３の交換等のメンテナンスを確実に実施することができる。
【００３１】
このように、本実施形態に係る紙葉類検出装置１においては、制御ユニット部２０は、機能的な構成要素として、記憶部２１と、補正部２３と、供給電流値検知部２５と、供給電流値決定部２７と、供給電流値制御部２９とを備えて構成され、記憶部２１には、被検査対象物Ｔとしての紙葉類が存在しない状態においてＰＴｒ１３が測定光を検知したときのＬＥＤ１１への供給電流値と、被検査対象物Ｔとしての紙葉類が存在する状態においてＰＴｒ１３が測定光を検知したときのＬＥＤ１１への供給電流値との比が予め記憶されている。補正部２３では、温度センサ１５にて検知したＬＥＤ１１及びＰＴｒ１３の周囲温度に基づいて記憶部２１に予め記憶されている比が補正される。供給電流値検知部２５では、被検査対象物Ｔが存在しない所定のタイミングにおいてＬＥＤ１１から測定光を出力し、ＰＴｒ１３が測定光を検知したときのＬＥＤ１１への供給電流値が検知される。供給電流値決定部２７では、供給電流値検知部２５にて検知された供給電流値と補正部２３にて補正された比とに基づいてＬＥＤ１１への供給電流値が決定される。そして、供給電流値制御部２９では、ＬＥＤ１１への供給電流値が供給電流値決定部２７にて決定した供給電流値となるように制御されることになる。これにより、ＬＥＤ１１への供給電流値が記憶部２１に予め記憶されている比に基づいて調整されることになり、ＬＥＤ１１の発光出力やＰＴｒ１３の検出感度に製品毎でバラツキが生じるのを抑制することができる。また、バラツキ調整のための人為的な作業行程を無くすことができ、紙葉類検出装置１の調整にかかる時間を短縮させることができるのでコストダウンする上で著しい効果を奏する。
【００３２】
また、紙葉類検出装置１にあっては、経時変化や、ゴミや埃等の付着等によるＬＥＤ１１の発光出力やＰＴｒ１３の検出感度の特性変化を、被検査対象物Ｔが存在しない所定のタイミング毎（たとえば、紙葉類検出装置１の起動時、アイドリング時等）において、適切且つ確実に補正することができる。
【００３３】
また、紙葉類検出装置１にあっては、補正部２３により、ＬＥＤ１１及びＰＴｒ１３の周囲温度に基づいて記憶部２１に予め記憶されている比が補正され、供給電流値決定部２７において、供給電流値検知部２５にて検知された供給電流値と補正部２３にて補正された比とに基づいてＬＥＤ１１への供給電流値が決定されるので、温度変化によるＬＥＤ１１の発光出力の特性変化、及びＰＴｒ１３の受光感度の特性変化を補正することができ、ＬＥＤ１１及びＰＴｒ１３の温度変化に依存しない被検査対象物Ｔの検出が可能となる。
【００３４】
また、紙葉類検出装置１にあっては、上述したように、被検査対象物Ｔとしての紙葉類が存在しない状態においてＰＴｒ１３が測定光を検知したときのＬＥＤ１１への供給電流値、及び、被検査対象物Ｔとしての紙葉類が存在する状態においてＰＴｒ１３が測定光を検知したときのＬＥＤ１１への供給電流値が統計的手法に基づいて求められているので、記憶部２１に予め記憶しておく比を適切に得ることができる。
【００３５】
本発明は、前述した実施形態に限定されるものではなく、本発明による光検出装置は、測定光を被検査対象物Ｔに照射し、この測定光を検出するものであれば、上述した紙葉類検出装置１以外の機器類にも適用することが可能である。また、ＬＥＤ１１の投光波長帯域、ＰＴｒ１３の受光波長帯域は、被検査対象物Ｔの種類、材質等に応じて適宜選択、設定されることになる。
【００３６】
また、本実施形態においては、被検査対象物Ｔとしての紙葉類が存在しない状態においてＰＴｒ１３が測定光を検知したときのＬＥＤ１１への供給電流値、及び、被検査対象物Ｔとしての紙葉類が存在する状態においてＰＴｒ１３が測定光を検知したときのＬＥＤ１１への供給電流値が統計的手法に基づいて求めているが、これに限られることなく、一度の測定に基づいて求めるようにしてもよい。
【００３７】
また、本実施形態においては、紙葉類が存在する状態においてＬＥＤ１１が測定光を検知したときのＬＥＤ１１への供給電流値として、サンプル度数分布ＦＤ２におけるＬＥＤ１１への供給電流値の最小値「Ａ」を選択したが、これに限られることなく、たとえば、この最小値「Ａ」より所定値だけ大きい値を選択するようにしてもよい。
【００３８】
【発明の効果】
以上、詳細に説明したように、本発明によれば、光検出装置の使用時においても、製品毎における発光素子の発光出力や受光素子の検出感度のバラツキ調整、特性変化の補正等を確実且つ適切に行うことが可能な光検出装置を提供することができる。
【図面の簡単な説明】
【図１】本発明の実施形態に係る紙葉類検出装置の構成を示すブロック図である。
【図２】本発明の実施形態に係る紙葉類検出装置に含まれる、制御ユニット部の機能を説明するためのブロック図である。
【図３】ＬＥＤ及びＰＴｒの周囲温度と温度補正係数との関係を示す線図である。
【図４】ＬＥＤへの供給電流値の度数分布を示す線図である。
【符号の説明】
１…紙葉類検出装置、１１…発光ダイオード（ＬＥＤ）、１３…フォトトランジスタ（ＰＴｒ）、１５…温度センサ、２０…制御ユニット部、２１…記憶部、２３…補正部、２５…供給電流値検知部、２７…供給電流値決定部、２９…供給電流値制御部、Ｔ…被検査対象物。
【図１】
0003994669.tif 000002
【図２】
0003994669.tif 000003
【図３】
0003994669.tif 000004
【図４】
0003994669.tif 000005